(57)【要約】【課題】  ラックの強度向上を維持しつつ、ラックを流通する際や、未使用時に、各構成部品毎に分解した際の嵩張りを少なくすることができ、コンパクトに収納できるラックを提供する。【解決手段】  複数の支柱半体１００、１０１で構成される支柱２ａ、２ｂ、２ｃと、前記複数の支柱半体１００、１０１と嵌合する嵌合部１０ａ、１０ｂ、１０ｃ、１２ａを有する継ぎ手３、４とを有し、複数の前記支柱２ａ、２ｂ、２ｃが前記継ぎ手３、４によって連結されて枠体５ａ、５ｂ、５ｃ、５ｄが形成され、前記枠体５ａ、５ｂ、５ｃ、５ｄに板状体のボード８ａ、８ｂ、８ｃ、８ｄが載置される。複数の前記支柱半体１００、１０１が前記継ぎ手３、４の前記嵌合部１０ａ、１０ｂ、１０ｃ、１２ａに嵌合されたときに、複数の前記支柱半体１００、１０１どうしが組み合わされて前記支柱２ａ、２ｂ、２ｃ、２ｄを形成する。【選択図】  図１
2007000192.tif 000002
【特許請求の範囲】
【請求項１】
複数の支柱半体で構成される支柱と、前記複数の支柱半体と嵌合する嵌合部を有する継ぎ手とを有し、複数の前記支柱が前記継ぎ手によって連結されて枠体が形成され、前記枠体に板状体のボードが載置されるラックにおいて、
複数の前記支柱半体が前記継ぎ手の前記嵌合部に嵌合されたときに、複数の前記支柱半体どうしが組み合わされて前記支柱を形成することを特徴とするラック。
【請求項２】
前記支柱半体は、長手方向に直交する方向に切断した断面形状がＬ字型であり、前記支柱半体の内側には凹部が形成されており、２つの前記支柱半体の前記凹部どうしが互いに向き合って組み合わされた状態で、前記継ぎ手の前記嵌合部と嵌合する請求項１記載のラック。
【請求項３】
２つの前記支柱半体が前記継ぎ手の前記嵌合部で組み合わされたときに、２つの前記支柱半体で形成された前記支柱は、長手方向に直交する方向に切断した断面の外形形状が矩形である請求項２記載のラック。
【請求項４】
２つの前記支柱半体が前記継ぎ手の前記嵌合部で組み合わされたときに、２つの前記支柱半体で形成された前記支柱には、長手方向に直交する方向に切断した断面形状が矩形の中空部が形成される請求項２または３記載のラック。
【請求項５】
前記継ぎ手に形成された前記嵌合部が前記支柱を挿通する穴部で形成されており、前記枠体は、前記穴部に挿通された前記支柱に沿って移動可能である請求項１ないし４のいずれかに記載のラック。
【請求項６】
前記支柱半体は紙材料で形成されている請求項１ないし５のいずれかに記載のラック。
【発明の詳細な説明】
【技術分野】
【０００１】
本発明は、物を保管等するためのラックに係り、特に強度の向上を図ることができるとともに、構成部品毎に分解した際にコンパクト化を図ることが可能なラックに関する。
【背景技術】
【０００２】
複数の支柱を互いに連結して枠体を構成し、この枠体に平板で形成されるボードを取り付け、このボード上に被保管物を載置することによって、物の保管等を行うことが可能なラックが存在する。
【０００３】
このようなラックとして、以下に示す非特許文献１に示すものが存在する。図１４は、この非特許文献１に開示されたラックの全体を示す斜視図、図１５ないし図１７は、支柱および複数の支柱を連結するための継ぎ手とを示す部分拡大斜視図である。図１４に示す従来のラック１３０では、紙材などで構成される角型中空体構造の支柱１０２ａ，１０２ｂ，１０２ｃが、継ぎ手１０４ａ，１０４ｂ，１０４ｃを介して複数本連結され支柱枠１０２が構成されている。
【０００４】
この支柱１０２ａ、１０２ｂ、１０２ｃは、後記する図１５ないし図１７に示すように、長手方向と直交する方向に切断した断面形状が矩形の中空部が形成された角型の中空構造体で構成されている。
【０００５】
図１４に示すように、前記支柱１０２ａ、１０２ｂおよび１０２ｃ前記継ぎ手１０４ａによって連結され、上方（図示Ｚ１方向）側から見た平面形状が矩形の枠体１０５ａ（図１４参照）が形成されている。また、前記支柱１０２ａ、１０２ｂおよび１０２ｃが前記継ぎ手１０４ｂによって連結され、上方から見た平面形状が矩形の枠体１０５ｂ（図１４参照）が形成されている。同様に、前記支柱１０２ａ、１０２ｂおよび１０２ｃが前記継ぎ手１０４ｃによって連結され、上方から見た平面形状が矩形の枠体１０５ｃ（図１４参照）が形成されている。
【０００６】
図１４に示す実施形態では、前記枠体１０５ａ、１０５ｂおよび１０５ｃが、それぞれの枠体１０５ａ、１０５ｂおよび１０５ｃを構成する前記継ぎ手１０１４ａ、１０４ｂおよび１０４ｃが、前記支柱１０２ｃと接続されて、前記枠体１０５ａ、１０５ｂおよび１０５ｃが上下方向（図示Ｚ１−Ｚ２方向）に位置するように互いに連結されて、直方体形状の前記支柱が形成されている。
【０００７】
前記枠体１０５ａ、１０５ｂおよび１０５ｃの上には、図１４に矢印で示すように、それぞれ板状体のボード１０３ａ、１０３ｂ、１０３ｃが載置されている。このボード１０３ａ，１０３ｂおよび１０３ｃの上に、各種の物品が載置されて保管される。
【０００８】
図１５は前記継ぎ手１０４ａと前記支柱１０２ａ，１０２ｂ，１０２ｃを示す斜視図である。
【０００９】
図１５に示すように、前記継ぎ手１０４ａは、前記支柱１０２ａの内径部１０２ａ１に挿入される挿入部１１０、前記支柱１０２ｂの内径部１０２ｂ１に挿入される挿入部１１１、および前記支柱１０２ｃの内径部１０２ｃ１に挿入される挿入部１１２を有して構成されている。
【００１０】
前記挿入部１１０は、前記支柱１０２ａの内径部１０２ａ１に図示右上方向（図示Ｙ２方向）から挿入される。同様に、前記挿入部１１１は、支柱１０２ｂの内径部１０２ｂ１に図示右下方向（図示Ｘ２方向）から挿入され、前記挿入部１１２は、前記支柱１０２ｃの内径部１０２ｃ１に図示下方（図示Ｚ２方向）から挿入される。
【００１１】
図１６は前記継ぎ手１０４ｂと前記支柱１０２ａ，１０２ｂ，１０２ｃを示す斜視図である。
【００１２】
図１６に示すように、前記継ぎ手１０４ｂは、前記支柱１０２ａの内径部１０２ａ１に挿入される挿入部１１０、前記支柱１０２ｂの内径部１０２ｂ１に挿入される挿入部１１１、前記支柱１０２ｃの内径部１０２ｃ１に挿入される挿入部１１２および１１３を有して構成されている。
【００１３】
前記挿入部１１０は、前記支柱１０２ａの内径部１０２ａ１に図示右上方向（図示Ｙ２方向）から挿入される。同様に、前記挿入部１１１は、支柱１０２ｂの内径部１０２ｂ１に図示右下方向（図示Ｘ２方向）から挿入され、前記挿入部１１２は、一方の前記支柱１０２ｃの内径部１０２ｃ１に図示下方（図示Ｚ２方向）から挿入され、前記挿入部１１３は、他方の前記支柱１０２ｃの内径部１０２ｃ１に図示上方から挿入される。
【００１４】
図１７は前記継ぎ手１０４ｃと前記支柱１０２ａ，１０２ｂ，１０２ｃを示す斜視図である。前記継ぎ手１０４ｃは、図２１に示す前記継ぎ手１０４ａと同じ構造であるが、前記継ぎ手１０４ａが上下方向に１８０°回転した状態で前記支柱１０２ａ，１０２ｂ、１０２ｃが挿入される。
【００１５】
すなわち、図１７に示すように、前記継ぎ手１０４ａは、前記支柱１０２ａの内径部１０２ａ１に挿入される挿入部１１１、前記支柱１０２ｂの内径部１０２ｂ１に挿入される挿入部１１０、および前記支柱１０２ｃの内径部１０２ｃ１に挿入される挿入部１１２を有して構成されている。
【００１６】
前記挿入部１１１は、前記支柱１０２ａの内径部１０２ａ１に図示右上方向（図示Ｙ２方向）から挿入される。同様に、前記挿入部１１０は、支柱１０２ｂの内径部１０２ｂ１に図示右下方向（図示Ｘ２方向）から挿入され、前記挿入部１１２は、前記支柱１０２ｃの内径部１０２ｃ１に図示下方（図示Ｚ２方向）から挿入され、前記挿入部１１３は、前記支柱１０２ｃの内径部１０２ｃ１に図示上方（図示Ｚ１方向）から挿入される。
【００１７】
図１４に示す従来のラック１３０は、市場に流通する際には、前記したように前記支柱１０２ａ、１０２ｂ、１０２ｃを前記継ぎ手１０４ａ、１０４ｂ、１０４ｃから取り外した上体で梱包されて市場に流通することができる。また、前記ラック１３０の使用者は、前記ラック１３０を使用しない場合には、前記支柱１０２ａ、１０２ｂ、１０２ｃを前記継ぎ手１０４ａ、１０４ｂ、１０４ｃから取り外して、保管することができる。
【００１８】
このような図１７に示す従来のラックでは、前記支柱１０２ａ，１０２ｂ、１０２ｃが、長手方向と直交する方向に切断した断面形状が矩形で構成されているため強度を向上することが可能である。
【非特許文献１】「家具・家電・ファブリック  ２００４  秋冬」，株式会社良品計画，２００４年１１月，ｐ．９４−９５
【発明の開示】
【発明が解決しようとする課題】
【００１９】
図１４に示す従来のラック１３０では、前記支柱１０２ａ、１０２ｂ、１０２ｃが、一体的な構造として形成されており、前記支柱１０２ａ、１０２ｂ、１０２ｃを小さく分解できない構造として構成されている。
【００２０】
したがって、前記ラック１３０を流通過程に置く際や、前記ラック１３０の未使用時に、前記ラック１３０を構成する前記支柱１０２ａ、１０２ｂ、１０２ｃを前記継ぎ手１４ａ、１０４ｂ、１０４ｃから取り外し、各構成部品毎に分解した場合に、前記支柱１０２ａ、１０２ｂ、１０２ｃが嵩張ってしまい、分解した各構成部品をコンパクトに収納することができない。
【００２１】
本発明は前記従来の課題を解決するものであり、ラックの強度向上を維持しつつ、ラックを流通する際や、未使用時に、各構成部品毎に分解した際の嵩張りを少なくすることができ、コンパクトに収納できるラックを提供することを目的とする。
【課題を解決するための手段】
【００２２】
本発明は、複数の支柱半体で構成される支柱と、前記複数の支柱半体と嵌合する嵌合部を有する継ぎ手とを有し、複数の前記支柱が前記継ぎ手によって連結されて枠体が形成され、前記枠体に板状体のボードが載置されるラックにおいて、
複数の前記支柱半体が前記継ぎ手の前記嵌合部に嵌合されたときに、複数の前記支柱半体どうしが組み合わされて前記支柱を形成することを特徴とするものである。
【００２３】
この場合、前記支柱半体は、長手方向に直交する方向に切断した断面形状がＬ字型であり、前記支柱半体の内側には凹部が形成されており、２つの前記支柱半体の前記凹部どうしが互いに向き合って組み合わされた状態で、前記継ぎ手の前記嵌合部と嵌合するものとして構成することができる。
【００２４】
また、２つの前記支柱半体が前記継ぎ手の前記嵌合部で組み合わされたときに、２つの前記支柱半体で形成された前記支柱は、長手方向に直交する方向に切断した断面の外形形状が矩形であるものとして構成することができる。
【００２５】
また、２つの前記支柱半体が前記継ぎ手の前記嵌合部で組み合わされたときに、２つの前記支柱半体で形成された前記支柱には、長手方向に直交する方向に切断した断面形状が矩形の中空部が形成されるものとして構成することができる。
【００２６】
また、前記継ぎ手に形成された前記嵌合部が前記支柱を挿通する穴部で形成されており、前記枠体は、前記穴部に挿通された前記支柱に沿って移動可能であるものとして構成することができる。
この場合、前記支柱半体は紙材料で形成されているものとして構成することができる。
【発明の効果】
【００２７】
本発明のラックでは、継ぎ手に形成された嵌合部に複数の支柱半体が嵌合されたときに、複数の前記支柱半体どうしが組み合わされて支柱を形成するように構成されている。
【００２８】
したがって、支柱を継ぎ手の嵌合部から取り外した後に分解することにより、ラックを流通する際やラックの未使用時に支柱をコンパクトに収納することができるため、流通やラックの保管を行い易くすることができる。
【発明を実施するための最良の形態】
【００２９】
図１は本発明のラック１の一実施形態を示す斜視図である。図１に示すように、ラック１は、縦方向へ向って延びる４本の縦支柱２ａと、前記縦支柱２ａと交叉する方向へ向って延びる横支柱２ｂおよび２ｃとを有している。
【００３０】
各前記縦支柱２ａの上端および下端には継ぎ手４が設けられ、また前記縦支柱２ａには、上下の前記継ぎ手３の間に、他の継ぎ手３が固定されている。
【００３１】
図１に示すように、前記縦支柱２ａと前記横支柱２ｂとは、前記継ぎ手３若しくは４を介して、互いに直交する位置関係で連結されている。
【００３２】
図１に示す実施形態の前記ラック１では、前記縦支柱２ａは４本設けられており、１本の前記横支柱２ｂが２本の前記縦支柱２ａを連結し、また１本の前記横支柱２ｃが前記縦支柱２ａを連結し、それぞれ２本の前記横支柱２ｂ、２ｃで４つの枠体５ａ、５ｂ、５ｃ、５ｄが形成されている。また図１に示す実施形態のラック１では、１つの枠体５ａ，５ｂ，５ｃ，５ｄを構成する前記横支柱２ｂと２ｃの長手方向の長さ寸法が異なっており、図１に示す実施形態では、前記横支柱２ｃの前記長さ寸法の方が、前記横支柱２ｂの前記長さ寸法よりも長く構成され、図１に示すように前記枠体５ａ，５ｂ，５ｃ，５ｄはそれぞれ上方（図示Ｚ１方向）から見た平面形状が長方形形状となるように構成されている。ただし、本発明では、前記横支柱２ｃの前記長さ寸法が前記横支柱２ｂの前記長さ寸法よりも短く構成したり、あるいは前記横支柱２ａと２ｃとの前記長さ寸法を同じとし、前記枠体５ａ，５ｂ，５ｃ，５ｄを上方から見た平面形状が正方形となるように構成しても良い。
【００３３】
図１に矢印Ａで示すように、前記枠体５ａ、５ｂ、５ｃ、５ｄには、それぞれ棚として機能する板状体のボード８ａ、８ｂ、８ｃ、８ｄが載置されている。図１に示す実施携帯では、最も上方に位置する前記枠体５ａに載置される前記ボード８ａは上方から見た平面形状が長方形となっているが、その他の前記ボード８ｂ、８ｃ、８ｄでは、上方から見た平面形状が、長方形の４隅に切り欠き９が形成された形状として構成されている。
【００３４】
図２は前記継ぎ手３を正面から示す斜視図、図３は前記継ぎ手３を背面から示す斜視図である。
【００３５】
図２および図３に示すように、前記継ぎ手３は縦方向（図示Ｚ１−Ｚ２方向）に貫通する穴部１０ａと、２つの嵌合部１０ｂ、１０ｃが形成されている。
【００３６】
図２および図３に示すように、前記２つの嵌合部１０ｂ、１０ｃとは、それぞれの幅方向を２分する中央線Ｏ１−Ｏ１線とＯ２−Ｏ２線とが直交し、前記両中央線Ｏ１−Ｏ１線とＯ２−Ｏ２線との間の角度θ１が９０°となるように構成されている。図２に示すように、幅方向（図示Ｘ１−Ｘ２方向）において前記穴部１０ａは２つの前記嵌合部１０ｂ、１０ｃの間に位置するように設けられている。
【００３７】
図２および図３に示すように、前記継ぎ手３には外側の側面１０ｄと１０ｅとが形成されており、この側面１０ｄと１０ｅとは互いに直交する位置関係で内側縁が接合されている。また、前記継ぎ手３には内側の側面１０ｆと１０ｇとが形成されており、この側面１０ｆと１０ｇとは互いに直交する位置関係で内側縁が接合されている。
【００３８】
前記継ぎ手３には、上面１０ｈおよび１０ｉが形成されており、また下面１０ｊおよび１０ｋが形成されている。
【００３９】
図２および図３に示すように、前記上面１０ｈ、１０ｉ、および前記下面１０ｊ、１０ｋは、前記穴部１０ａ以外の領域に形成されている。
【００４０】
前記穴部１０ａには４つの側面１０ａ１、１０ａ２、１０ａ３、１０ａ４が形成されている。前記穴部１０ａは前記側面１０ａ１、１０ａ２、１０ａ３、１０ａ４に囲まれた領域に形成されて、上方（図示Ｚ１方向）から見た平面形状は正方形として構成されている。
【００４１】
図２および図３に示すように、前記側面１０ａ２は前記外側の側面１０ｄの一部で構成され、前記側面１０ａ３は前記外側の側面１０ｅの一部で構成されている。
【００４２】
図２および図３に示すように、前記上面１０ｈと前記下面１０ｊと前記外側の側面１０ｄと前記内側の側面１０ｆと前記側面１０ａ１とで囲まれた領域が前記嵌合部１０ｂを形成する。したがって、前記嵌合部１０ｂには開口１０ｂ１が形成されている。
【００４３】
また、前記上面１０ｉと前記下面１０ｋと前記外側の側面１０ｅと前記内側の側面１０ｇと前記側面１０ａ４とで囲まれた領域が前記嵌合部１０ｃを形成する。したがって、前記嵌合部１０ｃには開口１０ｃ１が形成されている。
【００４４】
前記外側の側面１０ｄには孔９０ａ、９０ｂが形成されている。また前記外側の側面１０ｅには孔９０ｃ、９０ｄが形成されている。前記孔９０ｂおよび９０ｃは、前記穴部１０ａを開口するように形成されている。また、前記孔９０ａは前記嵌合部１０ｂを開口するように形成されており、前記孔９０ｄは前記嵌合部１０ｃを開口するように形成されている。
【００４５】
また、前記上面１０ｈには孔９１ａが形成され、前記上面１０ｉには孔９１ｂが形成されている。図２に示すように、前記孔９１ａは前記嵌合部１０ｂを開口するように形成されており、前記孔９１ｂは前記嵌合部１０ｃを開口するように形成されている。
【００４６】
図４は、前記継ぎ手４を正面から示す斜視図、図５は前記継ぎ手４を背面から示す斜視図、図４および図５に示す前記継ぎ手４は、図２および図３に示す前記継ぎ手３とほぼ同じ構造を有して構成されている。したがって、図４および図５においては、図２および図３に示す前記継ぎ手３と同じ構成要素については同じ符号を付して、詳しい説明を省略する。
【００４７】
前記継ぎ手４の構造が、図２および図３に示す前記継ぎ手３と異なるのは、前記継ぎ手４では、図２および図３に示す前記継ぎ手３の前記上面１０ｈと前記上面１０ｉとに繋がる面１１が形成されて図２および図３に示す継ぎ手３の前記穴部１０ａに相当する部分の上面が塞がれて、下方（図示Ｚ２方向）に開口１１ａを有する嵌合部１２ａが形成されている。
【００４８】
前記継ぎ手３および４は、例えば樹脂材料、金属材料、紙材料などの公知の材料で形成することができる。
【００４９】
図６は前記縦支柱２ａ、若しくは前記横支柱２ｂ、２ｃを示す分解斜視図である。図６に示すように、前記縦支柱２ａと前記横支柱２ｂとは同じ構造であり、後記するように前記継ぎ手３または４に嵌合される方向が縦方向か横方向かで異なるものである。なお、図１に示す実施の形態では、前記縦支柱２ａと前記横支柱２ｂ、２ｃの長さ寸法が異なるものとして構成されているが、本発明はこれに限定されるものではなく、前記縦支柱２ａ、前記横支柱２ｂ、２ｃの長さ寸法は、前記ラック１の縦寸法および横寸法に応じて、任意の寸法で構成できる。
【００５０】
図６に示すように、前記縦支柱２ａ、前記横支柱２ｂ、２ｃは、２つの支柱半体２０が互いに組み合わされて構成されている。
【００５１】
図６に示すように、前記支柱半体２０は、一枚の紙材料１５を複数枚重ね合わせて接着剤などの接合手段で接合され、例えばローラー等の成形手段を用いて、面１００と面１０１とが互いに直交する位置関係で成型されたものであり、所定の厚さ寸法Ｔ１を有して形成されている。前記支柱半体２０は、長手方向と直交する面方向（図６に示すＸ、Ｘ２−Ｙ１、Ｙ２面）に切断した断面形状がＬ字型のものとして構成されている。前記面１００と１０１とは、折り曲げ線Ｏ３−Ｏ３線によって互いに直交するように折り曲げられている。
【００５２】
図６に示すように、前記支柱半体２０には、前記折り曲げ線Ｏ３−Ｏ３線で折り曲げられた外側に折り曲げ頂点２０ｃが形成され、折り曲げられた内側に凹部２０ｄが形成されている。前記凹部２０ｄには、前記折り曲げ頂点２０ｃと対向する位置に折り曲げ谷部２０ｅが形成されている。
【００５３】
図６に示す実施形態では、前記支柱半体２０は、前記面１００の幅寸法（図示Ｘ１−Ｘ２方向の長さ寸法）Ｗ１と前記面１０１の幅寸法（図示Ｙ１−Ｙ２方向の長さ寸法）Ｗ２とが異なる長さ寸法で形成されており、前記幅寸法Ｗ１の方が、前記幅寸法Ｗ２よりも大きい寸法となるように形成されている。
【００５４】
図６に示す実施形態では、前記幅寸法Ｗ１は、前記幅寸法Ｔ１とＷ２との合計寸法で形成されている。すなわち、前記幅寸法Ｔ１とＷ１とＷ３との関係は、Ｗ１＝Ｔ１＋Ｗ２となるように構成されている。
【００５５】
図６に示すように、前記面１００および１０１には、それぞれ孔９５ａ，９５ｂが、前記面１００および１０１の長手方向に所定間隔を空けて一列に配列されている。
【００５６】
図６に示すように、前記縦支柱２ａ、前記横支柱２ｂ、２ｃは、前記支柱半体２０の前記凹部２０ｄと２０ｄどうしが互いに対向するような位置関係で組み合わされて構成されている。
【００５７】
また、図６では構造を解かり易くするために、前記２つの支柱半体２０どうしが離れた状態で図示しているが、実際には２つの前記支柱半体２０のうち、一方の支柱半体２０の前記面１０１側に形成された一方の端部２０ａが、他方の前記支柱半体２０の前記面１００の内側に接するとともに、前記一方の支柱半体２０の前記面１００の内側が、前記他方の支柱半体２０の前記面１０１側に形成された一方の端部と接するように組み合わさって構成されている。
【００５８】
図６に示すように、２つの支柱半体２０が組み合わされた状態では、前記一方の支柱半体２０の前記面１００側に形成された他方の端部２０ｂと、前記他方の支柱半体２０の前記面１０１とが同一の平坦面として構成されている。同様に、前記他方の支柱半体２０の前記面１００側に形成された他方の端部２０ｂと、前記一方の支柱半体２０の前記面１０１とが同一の平坦面として構成されている。
【００５９】
このように、前記縦支柱２ａ、前記横支柱２ｂ、２ｃを構成する２つの前記支柱半体２０どうしが組み合わされているため、前記支柱半体２０の前記面１００、１０１、および前記他方の端部とで、長手方向に直交する方向に切断した断面の外形形状が矩形で形成され、且つ前記凹部２０ｄどうしで、前記断面形状が矩形の中空部で形成される構造の前記縦支柱２ａおよび前記横支柱２ｂ、２ｃとなる。
【００６０】
図６に示す実施形態では、前記幅寸法Ｗ１とＷ２とＷ３との関係は、Ｗ２＝Ｗ１＋Ｗ３となるように構成されているため、前記縦支柱２ａ、前記横支柱２ｂ、２ｃの前記断面形状が正方形とるように構成することができるため、前記縦支柱２ａ、前記横支柱２ｂ、２ｃの強度を均一にすることができる。
【００６１】
ただし、前記幅寸法Ｗ２とＷ３とが同じとなるように構成されていても良く、この場合は、前記縦支柱２ａ、前記横支柱２ｂ、２ｃの前記断面形状が、前記厚さ寸法Ｔ１に応じて長方形の形状となる。
【００６２】
なお、前記厚さ寸法Ｔ１、前記幅寸法Ｗ１、Ｗ２は、任意の大きさで形成することができる。
【００６３】
図７は、２つの前記支柱半体２０を重ねた状態を示す斜視図である。前記したように、前記縦支柱２ａ、前記横支柱２ｂ，２ｃは２つの前記支柱半体２０が組み合されて構成されている。そのため、前記縦支柱２ａ、横支柱２ｂ、２ｃを前記継ぎ手３、４から取り外せば、前記縦支柱２ａ、横支柱２ｂ、２ｃを２つの支柱半体２０に分解することができる。
【００６４】
このように前記縦支柱２ａ、横支柱２ｂ、２ｃを２つの前記支柱半体２０に分解した後、一方の前記支柱半体２の前記折り曲げ頂点２０ｃと他方の前記支柱半体２０の前記折り曲げ谷部２０ｅとが重ねられるとともに、２つの前記支柱半体２０の前記面１００どうし、および前記面１０１どうしを重ねて、すなわち前記支柱半体２０の前記凹部２０ｄの上に、他の前記支柱半体２０を重ねることができる。
【００６５】
図８は、前記縦支柱２ａおよび前記横支柱２ｂが前記継ぎ手３によって連結された状態を示した部分斜視図である。図８に示すのは、図１に示すラック１の全体図のうち、前記縦支柱２ａと前記枠体５ｂ、５ｃを構成する前記継ぎ手３と前記縦前記横支柱２ｂ、２ｃに係る部分である。
【００６６】
図８に示すように、前記縦支柱２ａを構成する２つの前記支柱半体２０は、前記凹部２０ｄどうしが互いに向き合って組み合わされた状態で、前記継ぎ手３に形成された前記穴部１０ａに嵌合し挿入され、２つの前記支柱半体２０どうしが組み合わされて前記縦支柱２ａが形成される。したがって、前記穴部１０ａは、本発明の嵌合部として機能している。
【００６７】
このとき、前記縦支柱２ａに形成された前記孔９５ａと前記継ぎ手３に形成された前記孔９０ｂとが対向し、また縦支柱２ａに形成された前記孔９５ｂと前記継ぎ手３に形成された前記孔９０ｃとが対向するように、前記縦支柱２ａが前記継ぎ手３に形成された前記穴部１０ａに挿入される。
【００６８】
一方、図８に示すように、前記横支柱２ｂを構成する２つの前記支柱半体２０は、前記凹部２０ｄどうしが互いに向き合って組み合わされた状態で、前記継ぎ手３に形成された前記嵌合部１０ｂに嵌合し挿入され、２つの前記支柱半体２０どうしが組み合わされて前記横支柱２ｂが形成される。
【００６９】
このとき、前記横支柱２ｂに形成された前記孔９５ａと前記継ぎ手３に形成された前記孔９０ａとが対向し、また横支柱２ｂに形成された前記孔９５ｂと前記継ぎ手３に形成された前記孔９１ａとが対向するように、前記横支柱２ｂが前記継ぎ手３に形成された前記嵌合部１０ｂに挿入される。
【００７０】
また、図８に示すように、前記横支柱２ｃを構成する２つの前記支柱半体２０は、前記凹部２０ｄどうしが互いに向き合って組み合わされた状態で、前記継ぎ手３に形成された前記嵌合部１０ｃに嵌合し挿入され、２つの前記支柱半体２０どうしが組み合わされて前記横支柱２ｃが形成される。
【００７１】
このとき、前記横支柱２ｃに形成された前記孔９５ａと前記継ぎ手３に形成された前記孔９０ｄとが対向し、また横支柱２ｃに形成された前記孔９５ｂと前記継ぎ手３に形成された前記孔９１ｂとが対向するように、前記横支柱２ｃが前記継ぎ手３に形成された前記嵌合部１０ｃに挿入される。
【００７２】
図９は、前記縦支柱２ａおよび前記横支柱２ｂ、２ｃが前記継ぎ手４によって連結された状態を示した部分斜視図である。図９に示すのは、図１に示すラック１の全体図のうち、前記縦支柱２ａと枠体５ａを構成する前記継ぎ手４と前記横支柱２ｂ、２ｃに係る部分である。
【００７３】
図９に示すように、前記縦支柱２ａが前記継ぎ手３に形成された前記嵌合部１２ａに挿入され嵌合される。
【００７４】
このとき、前記縦支柱２ａに形成された前記孔９５ａと前記継ぎ手３に形成された前記孔９０ｂとが対向し、また縦支柱２ａに形成された前記孔９５ｂと前記継ぎ手３に形成された前記孔９０ｃとが対向するように、前記縦支柱２ａが前記継ぎ手３に形成された前記嵌合部１２ａに挿入される。
【００７５】
一方、図９に示すように、前記横支柱２ｂは前記継ぎ手３の前記嵌合部１０ｂに挿入され嵌合する。このとき、前記横支柱２ｂに形成された前記孔９５ａと前記継ぎ手３に形成された前記孔９０ａとが対向し、また横支柱２ｂに形成された前記孔９５ｂと前記継ぎ手３に形成された前記孔９１ａとが対向するように、前記横支柱２ｂが前記継ぎ手３に形成された前記嵌合部１０ｂに挿入される。
【００７６】
また、図９に示すように、前記横支柱２ｃは前記継ぎ手３の前記嵌合部１０ｃに挿入され嵌合する。このとき、前記横支柱２ｃに形成された前記孔９５ａと前記継ぎ手３に形成された前記孔９０ｄとが対向し、また横支柱２ｃに形成された前記孔９５ｂと前記継ぎ手３に形成された前記孔９１ｂとが対向するように、前記横支柱２ｃが前記継ぎ手３に形成された前記嵌合部１０ｃに挿入される。
【００７７】
図１０は、前記縦支柱２ａおよび前記横支柱２ｂ、２ｃが前記継ぎ手４によって連結された状態を示した部分斜視図である。図１０に示すのは、図１に示すラック１の全体図のうち、前記縦支柱２ａと前記枠体５ｄを構成する前記継ぎ手４と前記縦前記横支柱２ｂ、２ｃに係る部分である。
【００７８】
図１０に示すように、前記縦支柱２ａが前記継ぎ手３に形成された前記嵌合部１２ａに挿入され嵌合される。この際、前記継ぎ手３は図９に示す枠体５ａを構成するときの状態とは上下方向（図示Ｚ１−Ｚ２方向）が反対方向とされた状態である。
【００７９】
すなわち、前記縦支柱２ａに形成された前記孔９５ａと前記継ぎ手３に形成された前記孔９０ｃとが対向し、また縦支柱２ａに形成された前記孔９５ｂと前記継ぎ手３に形成された前記孔９０ｂとが対向するように、前記縦支柱２ａが前記継ぎ手３に形成された前記嵌合部１２ａに挿入される。
【００８０】
一方、図１０に示すように、前記横支柱２ｂは前記継ぎ手３の前記嵌合部１０ｂに挿入され嵌合する。このとき、前記横支柱２ｂに形成された前記孔９５ａと前記継ぎ手３に形成された前記孔９０ｄとが対向し、また横支柱２ｂに形成された前記孔９５ｂと前記継ぎ手３に形成された前記孔９１ｂとが対向するように、前記横支柱２ｂが前記継ぎ手３に形成された前記嵌合部１０ｂに挿入される。
【００８１】
また、図９に示すように、前記横支柱２ｃは前記継ぎ手３の前記嵌合部１０ｃに挿入され嵌合する。このとき、前記横支柱２ｃに形成された前記孔９５ａと前記継ぎ手３に形成された前記孔９０ａとが対向し、また横支柱２ｃに形成された前記孔９５ｂと前記継ぎ手３に形成された前記孔９１ａとが対向するように、前記横支柱２ｃが前記継ぎ手３に形成された前記嵌合部１０ｃに挿入される。
【００８２】
前記縦支柱２ａに形成された前記孔９５ａ、９５ｂと、前記継ぎ手３、４に形成された前記孔９０ａないし９０ｄ、９１ａ，９１ｂとが対向した状態で、これらの対向する各孔９５ａ、９５ｂ、９０ａないし９０ｄ、９１ａ，９１ｂを貫通するように、ピンが挿入され、前記継ぎ手３、４が前記縦支柱２ａ、前記横支柱２ｂ、２ｃに固定される。この状態を例示したのが図１１である。
【００８３】
図１１は、図８に示すＸＩ−ＸＩ線での切断断面図であり、前記孔９０ａと９５ａとが対向した状態で、前記横支柱２ｂを構成する前記支柱半体２０と前記継ぎ手３とが、ピン１９によって固定された状態を示すものであるが、前記各孔９５ａ、９５ｂ、９０ａないし９０ｄ、９１ａ，９１ｂのどの組み合わせであっても考え方は同様であるため、前記孔９０ａと９５ａ以外の孔の符号を括弧書きで示している。
【００８４】
図１１に示すように、前記ピン１９は係止頭部１９ａと、この係止頭部１９ａの底面１９ａ１から祖ｓと側に向かって延びる挿入部１９ｂとを有している。
【００８５】
図１１に示すように、前記挿入部１９ｂは、前記孔９０ａ（９０ｂ、９０ｃ、９０ｄ、９１ａ、９１ｂ）と前記孔（９５ｂ）に挿入される。
【００８６】
前記挿入部１９ｂを前記前記孔９０ａ（９０ｂ、９０ｃ、９０ｄ、９１ａ、９１ｂ）と前記孔（９５ｂ）に挿入した状態で、内側方向（図示Ｙ２方向）に押し込むと、前記底面１９ａ１が前記継ぎ手３（４）に当接する。
【００８７】
図１１に示すように、前記挿入部１９ｂには係止突起１９ｃが形成されており、前記挿入部１９ｂを前記孔９０ａ（９０ｂ、９０ｃ、９０ｄ、９１ａ、９１ｂ）と前記孔（９５ｂ）に挿入したときに、前記係止突起１９ｃが前記孔９５ａ（９５ｂ）の内側に当接する。
【００８８】
したがって、前記ピン１９の前記底面１９ａ１と前記係止突起１９ｃとで、前記継ぎ手３（４）と前記支柱２ａ（２ｂ，２ｃ）を構成する支柱半体２０とが固定されるのである。
【００８９】
このように、前記継ぎ手３、４は前記ピン１９によって前記縦支柱２ａ、前記横支柱２ｂ、２ｃに係止されているため、後記するように前記枠体５ｂ、５ｃに載置される前記ボード８ａの上に重量が大きい物品が載置された場合でも、前記ボード８ａが載置されている前記枠体５ａｂ，５ｃの高さ位置が、前記物品の重量によって下方に下がってしまうことを防止することができる。
【００９０】
以上のようにして、前記縦支柱２ａおよび前記横支柱２ｂ、２ｃが前記継ぎ手３若しくは４を介して連結される。
【００９１】
前記継ぎ手３，４は、樹脂材料や金属材料や紙材料など公知の材料で形成することができるが、前記継ぎ手３、４は樹脂材料で形成されていることが好ましい。前記継ぎ手３、４を樹脂材料で形成すると、金属材料で形成される場合よりも安価なコストで継ぎ手３，４を製造することが可能となり、継ぎ手３，４の軽量化を図ることも可能となる。また、紙材で形成する場合と比較して、前記継ぎ手３，４の強度を強くすることができる。
【００９２】
なお、図８、図９、図１０では、それぞれ前記枠体５ａ、５ｂ、５ｃ、５ｄに形成されている４つの角部のうち、１つの角部についての斜視図であるが、他の３つの角部でも同じ状態である。
【００９３】
以上のようにして、前記縦支柱２ａおよび前記横支柱２ｂ、２ｃが連結されて前記枠体５ａ、５ｂ、５ｃ、５ｄが形成された後、図１の矢印で示すように、前記枠体５ａ、５ｂ、５ｃ、５ｄの上に前記ボード８ａ、８ｂ、８ｃ、８ｄを載置すると図１に示すラック１となる。
【００９４】
前記枠体５ｂ、５ｃ、５ｄに前記ボード８ｂ、８ｃ、８ｄを載置する際、前記切り欠き９に前記縦支柱２ａが嵌合するため、前記ボード８ｂ、８ｃ、８ｄの位置ずれを防止することができる。
【００９５】
なお、最も上方（図１に示すＺ１方向側）に位置する枠体５ａに載置される前記ボード８ａの４隅に孔を形成し、また前記枠体５ａを構成する前記継ぎ手４の前記面１１に、前記ボード８ａの４隅に形成された前記孔と対向する位置に孔を形成し、これらの孔どうしを前記ピン１９を用いて係止するものとして構成すると、前記ボード８ａの位置ずれを防止することができるため好ましい。
【００９６】
前記ラック１では、前記縦支柱２ａは、前記継ぎ手３の前記穴部１０ａに挿通され、貫通している。したがって、図１および図８に示すように、前記前記継ぎ手３は、前記ピン１９による固定を解除した状態で、前記縦支柱２ａに沿って移動できる。よって、前記横支柱２ｂおよび２ｃが取り付けられて、前記枠体５ｂが構成された状態で、図１および図８に一点鎖線および矢印Ｂで示すように、前記枠体５ｂを前記縦支柱２ａに沿って移動可能である。
【００９７】
例えば、前記枠体５ｂを、図示矢印Ｂが示す上方（図示Ｚ１方向側）へ移動させて一点鎖線で示すように上方へ移動させたり、一点鎖線で示す状態から図示矢印Ｂが示す下方（図示Ｚ２方向側）へ移動させて実線で示すように下方へ移動させることが可能となる。
【００９８】
このため、前記ボード８ｂの上に保管される物品の大きさなどに応じて前記ボード８ｂの高さ位置を変化させたい場合には、前記ピン１９を取り外して、前記継ぎ手３と前記縦支柱２ａとの固定状態を解除した後、前記継ぎ手３を前記縦支柱２ａに沿って移動させれば良い。そして、所望の高さ位置に形成されている前記孔９５ａ、９５ｂと、前記継ぎ手３に形成された前記孔９０ｂ、９０ｃとを対向させ、前記ピン１９により、前記継ぎ手３を前記縦支柱２ａに固定させれば良い。
【００９９】
なお、前記枠体５ｃについても同様に上下方向への移動および固定を容易に行うことが可能である。
【０１００】
以上のようにして構成されたラック１の前記ボード８ａ、８ｂ、８ｃ、８ｄの上には、物品を載置保管できる。
【０１０１】
図１に示す実施形態では、前記ボード８ａ、８ｂ、８ｃ、８ｄは平板状で形成された物であるが、本明細書にいうボード８ａ、８ｂ、８ｃ、８ｄは平板状のものに限定されるものではなく、例えば前記ボード８ａ、８ｂ、８ｃｃ、８ｄの上面に凹凸が形成されていたり、また前記ボード８ａ、８ｂ、８ｃ、８ｄが網目状のものとして構成されていても良い。また、前記ボード８ａ、８ｂ、８ｃ、８ｄの内部構造がハニカム構造のものとして構成すると、前記ボード８ａ、８ｂ、８ｃ、８ｄの強度向上を図ることができ、物品が載置された場合にこの物品の重量によって前記ボード８ａ、８ｂ、８ｃ、８ｄが変形や破損してしまうことを抑制することができるため好ましい。
【０１０２】
前記ボード８ａ、８ｂ、８ｃ、８ｄは紙材料や樹脂材料、あるいは金属材料など各種の公知の材料で形成することができる。
【０１０３】
本発明のラック１では、前記縦支柱２ａ、前記横支柱２ｂ、２ｃを２つの支柱半体２０に分解することにより、前記縦支柱２ａ、前記横支柱２ｂ、２ｃをコンパクトに収納することができるため、流通や前記ラック１の保管を行い易くすることができる。
【０１０４】
特に、前記支柱半体２０は、長手方向と直交する方向に切断した断面形状がＬ字型で形成されており、前記支柱半体２０の前記凹部２０ｄの上に、他の前記支柱半体２０を重ねることができる。したがって、ラックを流通する際やラックの未使用時に、前記縦支柱２ａ、前記横支柱２ｂ、２ｃを構成する支柱半体２０の嵩張りを少なくすることができ、コンパクトに収納することができるため、流通やラック１の保管を行い易くすることができる。
【０１０５】
また、前記縦支柱２ａ、横支柱２ｂ、２ｃの外形を、長手方向に直交する方向に切断した断面形状が矩形の外形を有しているため、前記縦支柱２ａ、前記横支柱２ｂ、２ｃの強度向上を図ることができる。
【０１０６】
また、前記縦支柱２ａ、前記横支柱２ｂ、２ｃは、長手方向と直交する方向に切断した断面形状が矩形であるため、前記継ぎ手３，４が前記縦支柱２ａ、前記横支柱２ｂ、２ｃを回転中心として回転することを防止でき、前記枠体５ａ、５ｂ、５ｃ、５ｄの位置ずれや形態の崩れを抑制することができる。
【０１０７】
このように、本発明のラック１は、前記縦支柱２ａ、前記横支柱２ｂ、２ｃの強度向上を図ることができ、また前記縦支柱２ａ、前記横支柱２ｂ、２ｃを分解することによって分解時にコンパクトなものとすることを同時に達成することが可能となる。
【０１０８】
なお、前記支柱半体２０は紙材を複数枚接合されて構成されるものに限定されるものではなく、１枚の紙材で形成されるものであっても良い。
【０１０９】
また、樹脂材料や金属材料など他の公知の材料で構成することも可能であるが、前記支柱半体２０を紙材で構成すると、金属などで形成される場合よりも安価なコストで支柱を製造することが可能となり、また軽量化を図ることができ、さらには紙資源のリユースといった資源の有効活用を容易に図ることができ、環境問題への対応も可能となる。
【０１１０】
また、前記支柱半体２０は、前記断面形状がＬ字型であり、２つの前記支柱半体２０どうしが組み合わされた状態の前記両支柱２ａ、２ｂ、２ｃでは、長手方向に直交する方向に切断した断面の外形形状が矩形で形成され、中空部形状が矩形で形成されるため、前記ラック１に物品が載置されることにより前記両支柱２ａ，２ｂ、２ｃに対して側方から応力が加わった場合でも、前記両支柱２ａ，２ｂ、２ｃを曲がり難くすることができる。
【０１１１】
なお、前記両支柱２ａ，２ｂの表面や裏面を、木目調やジーンズ柄としたり、色を施したり、あるいは、アニメのキャラクター等の絵を施すなどの任意の装飾を施すこともできる。
【０１１２】
図１に示す実施の形態においては、前記ラック１には４つの枠体５ａ，５ｂ，５ｃ，５ｄが上下方向に並んで設けられているが、本発明では、枠体５ａ、５ｂ、５ｃ、５ｄの数が４つであるものに限定されず、前記縦支柱２ａの長さ寸法、および前記縦支柱２ａに設けられる前記孔９５ａ、９５ｂの数に応じて前記継ぎ手３を３つ以上設け、これに前記横支柱２ｂ、２ｃを嵌合させることによって枠体の数を増やすことや、反対に前記継ぎ手３および前記横支柱２ｂ、２ｃを除去することによって枠体５ａ、５ｂ、５ｃ、５ｄの数を減らしても良い。
【０１１３】
また、図１に示す実施の形態では、前記継ぎ手３，４には横支柱２ｂおよび２ｃがそれぞれ１本づつ嵌合されるラック１を例にして本発明を説明したが、前記継ぎ手３，４に、前記横支柱２ｂあるいは２ｃの一方が１本嵌合され他方が２本嵌合されるような構造として、図１２に示す構造のラック１Ａとしても良い。なお、図１２に示すラック１Ａは図１に示す前記ラック１と同じ構成部分を有しているため、図１２に示す前記ラック１Ａのうち図１に示す前記ラック１と同じ構成部分には同じ符号を付している。
【０１１４】
図１２に示す前記ラック１Ａでは、前記継ぎ手３に代えて、図１３に示す構造の継ぎ手１３を用いれば良い。図１３に示す前記継ぎ手１３は、図３および図４に示す前記継ぎ手３と同じ構成部分を有して構成されている。図１３に示す前記継ぎ手１３の構成部分のうち、図３および図４に示す前記継ぎ手３と同じ構成部分には、前記継ぎ手３と同じ符号を付して詳しい説明を省略し、以下には前記継ぎ手３と異なる構成部分のみを説明する。
【０１１５】
図１３に示すように、前記継ぎ手１３には嵌合部１３ａが形成されている。前記嵌合部１３ａは、幅方向を２分する中央線Ｏ４−Ｏ４線が、嵌合部１０ｂの幅方向を２分する中央線Ｏ１−Ｏ１線と同一線上に位置するように形成されている。したがって、前記嵌合部１０ｃの幅方向を２分する中央線Ｏ３−Ｏ３線との間の角度θ２が９０°となるように形成されている。
【０１１６】
図１３に示すように、前記嵌合部１３ａの側方には、３方を囲む面１３ｂ、１３ｃ、１３ｄが形成されている。前記面１３ｂは外側の側面１０ｄと連続して同一の平坦面として形成されている。また前記面１３ｃは、外側の側面１０ｅと直交するように形成されている。また前記面１３ｄは、前記外側の側面１０ｅの一部によって構成されている。また、前記嵌合部１３ａの上方側（図示Ｚ１方向側）には上面１３ｅが形成され、下方側（図示Ｚ２方向側）には下面１３ｆが形成されている。
【０１１７】
すなわち、図１３に示すように、前記上面１０１３ｅと前記下面１３ｆと前記面１３ｂ、１３ｃ、１３ｄとで囲まれた領域が、前記嵌合部１３ａを形成する。したがって、前記嵌合部１３ａには開口１３ａ１が形成されている。
【０１１８】
図１３に示すように、前記上面１３ｅには孔９２が形成され、前記面１３ｂには孔９３が形成されている。前記孔９２および９３は、前記嵌合部１３ａを開口するように形成されている。
【０１１９】
また、前記継ぎ手１３には、内側の側面１０ｇに孔９４が形成されており、この孔９４は嵌合部１０ｃを開口するように形成されている。
【０１２０】
前記継ぎ手１３は、嵌合部１３ａにも前記横支柱２ｂあるいは２ｃが嵌合するように挿入され、このとき、前記孔９２、９３、９４が前記支柱半体２０に形成された前記孔９５ａあるいは９５ｂと対向するように構成される。そして、前記支柱半体２０に形成された前記孔９５ａ、９５ｂ前記継ぎ手１３に形成された前記孔９２、９３、９４とが対向した状態で、これらの対向する各孔９２、９３、９４と前記孔９５ａ、９５ｂを貫通するように、ピン１９が挿入され、前記継ぎ手１３と前記横支柱２ｂ、２ｃとが固定される。これは、図１１に示すのと同様である。
【０１２１】
このように構成すると、図１２に示すようにラック１よりも横幅方向（図１に示すＸ１−Ｘ２方向）に枠体５ａ、５ｂ、５ｃ、５ｄの数を増やすことが可能になり、あるいは縦幅方向（図１に示すＹ１−Ｙ２方向）に枠体５ａ、５ｂ、５ｃ、５ｄの数を増やすことが可能になり、保管する物品やラック１が置かれる場所に応じて、適切な数の枠体５ａ、５ｂ、５ｃ、５ｄを有するラックとすることが可能となる。
【０１２２】
また、前記継ぎ手３に、前記横支柱２ｂおよび２ｃがそれぞれ２本づつ嵌合できるものとして構成しても良い。このように構成すると、ラック１の横幅方向（図１に示すＸ１−Ｘ２方向）あるいは縦幅方向（図１に示すＹ１−Ｙ２方向）に枠体５ａ、５ｂ、５ｃ、５ｄの数を増やすことが可能になり、保管する物品やラック１が置かれる場所に応じて、適切な数の枠体５ａ、５ｂ、５ｃ、５ｄを有するラックとすることが可能となる。
【０１２３】
また、図１に示す実施の形態では、前記継ぎ手３が前記縦支柱２ａに沿って上下に移動するラック１を例として用いたが、本発明においては、前記継ぎ手３が前記縦支柱２ａに沿って上下に移動するものに限定されず、前記横支柱２ｂあるいは２ｃに沿って横方向に移動できるように構成してもよい。
【０１２４】
また、図１に示す前記ラック１では、前記継ぎ手４前記縦支柱２ａに沿って移動できない構成であるが、本発明のラックでは、前記継ぎ手４が前記継ぎ手３と同様に、前記縦支柱２ａまたは前記横支柱２ｂあるいは２ｃに沿って移動できるものとして構成しても良い。
【０１２５】
また、隣接する前記縦支柱２ａどうしを繋ぐように補強支柱を渡したり、あるいは前記縦支柱２ａと前記横支柱２ｂあるいは２ｂとを繋ぐ補強支柱を渡したり、あるいは前記横支柱２ｂと２ｃとを繋ぐ補強支柱を渡すように構成しても良い。このようにすると、前記ラック１、１Ａの強度を向上することが可能となる。
【０１２６】
なお、図１に示すラック１、および図１２に示すラック１Ａでは、前記支柱半体２０は、長手方向と直交する面方向（図６に示すＸ、Ｘ２−Ｙ１、Ｙ２面）に切断した断面形状がＬ字型のものとして構成されており、２つの前記支柱半体２０どうしが組み合わされた状態では、長手方向に直交する方向に切断した断面の外形形状が矩形で形成され、中空部形状が矩形で形成される前記縦支柱２ａおよび前記横支柱２ｂ、２ｃを例として説明した。
【０１２７】
しかし、本発明のラック１、１Ａでは、前記支柱半体２０の形状が限定されるものではなく、例えば前記支柱半体２０が、長手方向と直交する面方向に切断した断面形状（切断断面形状）がコノ字型のものとして構成し、２つの前記支柱半体２０どうしが組み合わされた状態では、長手方向に直交する方向に切断した断面の外形形状が矩形で形成され、中空部形状が矩形で形成される前記縦支柱２ａおよび前記横支柱２ｂ、２ｃが形成されるものとして構成しても良い。あるいは、前記支柱半体２０が、前記切断断面形状が半円型のものとして構成し、２つの前記支柱半体２０どうしが組み合わされた状態では、長手方向に直交する方向に切断した断面の外形形状が円形で形成され、中空部形状も円形で形成される前記縦支柱２ａおよび前記横支柱２ｂ、２ｃが形成されるものとして構成しても良い。
【０１２８】
これらの場合、前記継ぎ手３に形成された前記穴部１０ａ、前記嵌合部１０ｂ、１０ｃ、前記継ぎ手４に形成された前記嵌合部１２ａの形状は、前記両支柱２ａ、２ｂ、２ｃの外形形状に対応した形状、すなわち前記穴部１０ａ、前記嵌合部１０ｂ、１０ｃ、前記嵌合部１２ａに、前記両支柱２ａ、２ｂ、２ｃが嵌合することができる形状として構成される。
【図面の簡単な説明】
【０１２９】
【図１】本発明の実施形態のラックを示す斜視図、
【図２】図１に示すラックを構成する継ぎ手を正面から示す斜視図、
【図３】図２に示す継ぎ手を背面から示す斜視図、
【図４】図１に示すラックを構成する他の継ぎ手を正面から示す斜視図、
【図５】図４に示す継ぎ手を背面から示す斜視図、
【図６】図１に示すラックを構成する縦支柱若しくは横支柱を示す分解斜視図、
【図７】図６に示す縦支柱若しくは横支柱を構成する２つの支柱半体を重ねた状態を示す斜視図、
【図８】図６に示す縦支柱および横支柱が図２および図３に示す継ぎ手によって連結された状態を示す部分斜視図、
【図９】図６に示す縦支柱および横支柱が図４および図５に示す継ぎ手によって連結された状態を示す部分斜視図、
【図１０】図６に示す縦支柱および横支柱が図４および図５に示す継ぎ手によって連結された状態を示す部分斜視図、
【図１１】図８のＸＩ−ＸＩ線での切断断面図、
【図１２】本発明の他の実施形態のラックを示す斜視図、
【図１３】図１２に示すラックを構成する継ぎ手を示す斜視図、
【図１４】従来のラックを示す斜視図、
【図１５】図１４に示すラックを構成する支柱が継ぎ手によって連結された状態を示す斜視図、
【図１６】図１４に示すラックを構成する支柱が継ぎ手によって連結された状態を示す斜視図、
【図１７】図１４に示すラックを構成する支柱が継ぎ手によって連結された状態を示す斜視図、
【符号の説明】
【０１３０】
１，１Ａ  ラック
２ａ  縦支柱
２ｂ  横支柱
３  継ぎ手
４  継ぎ手
５ａ，５ｂ，５ｃ，５ｄ  枠体
８ａ，８ｂ，８ｃ，８ｄ  ボード
１０ａ  穴部
１０ａ１，１０ａ２，１０ａ３，１０ａ４  側面
１０ｂ，１０ｃ  嵌合部
１０ｂ１，１０ｃ１  開口
１０ｄ，１０ｅ  外側の側面
１０ｆ，１０ｇ  内側の側面
１０ｈ，１０ｉ  上面
１０ｊ，１０ｋ  下面
１１  面
１１ａ  開口
１２ａ  嵌合部
１３  継ぎ手
１３ａ  嵌合部
１３ａ１  開口
１３ｂ，１３ｃ，１３ｄ  面
１３ｅ  上面
１３ｆ  下面
１９  ピン
１９ａ  係止頭部
１９ａ１  底面
１９ｂ  挿入部
２０  支柱半体
２０ａ  一方の端部
２０ｂ  他方の端部
２０ｃ  折り曲げ頂点
２０ｄ  凹部
２０ｅ  折り曲げ谷部
９０ａ，９０ｂ，９０ｃ，９０ｄ  孔
９１ａ，９１ｂ  孔
９２，９３，９４  孔
１００、１０１  面
【図１】
2007000192.tif 000003
【図２】
2007000192.tif 000004
【図３】
2007000192.tif 000005
【図４】
2007000192.tif 000006
【図５】
2007000192.tif 000007
【図６】
2007000192.tif 000008
【図７】
2007000192.tif 000009
【図８】
2007000192.tif 000010
【図９】
2007000192.tif 000011
【図１０】
2007000192.tif 000012
【図１１】
2007000192.tif 000013
【図１２】
2007000192.tif 000014
【図１３】
2007000192.tif 000015
【図１４】
2007000192.tif 000016
【図１５】
2007000192.tif 000017
【図１６】
2007000192.tif 000018
【図１７】
2007000192.tif 000019